(57)【要約】      （修正有）【課題】衣服等の着用物のデザイン多様性に優れる、着用物セット、ならびに着用物セットに用いられる装着片および着用物を提供する。【解決手段】装着片を取り付けることができるボタンを有する着用物１００と、着用物に対して着脱可能な装着片であって、ボタン１、３、４、６と係合するボタンホールを備える装着片２００と、を備える。装着片が着用物と異なる素材で形成され、少なくとも１つのボタンホールの向きが、他のボタンホールの向きと異なることが好ましい。【選択図】図１Ｃ
0003200866.tif 000002
【実用新案登録請求の範囲】
【請求項１】
着用物に対して着脱可能な装着片であって、
前記着用物に備えられるボタンと係合するボタンホールを備えることを特徴とする装着片。
【請求項２】
前記着用物と異なる素材で形成されることを特徴とする、請求項１に記載の装着片。
【請求項３】
前記ボタンホールが複数備えられ、当該複数のボタンホールの内、少なくとも１つのボタンホールの向きが、他のボタンホールの向きと異なることを特徴とする、請求項１又は請求項２に記載の装着片。
【請求項４】
前記ボタンホールの向きが、前記装着片の上部では横向き、前記装着片の下部では縦向きであることを特徴とする、請求項３に記載の装着片。
【請求項５】
折り目片を有し、当該折り目片に前記着用物に備えられるボタンと係合するボタンホールが備えられることを特徴とする、請求項１〜４のいずれかに記載の装着片。
【請求項６】
前記折り目片が折り返されることにより二重構造となる部分において、二重構造のそれぞれにおいて形成される前記ボタンホールであって、同一の前記ボタンに対して係合するボタンホールの向きが異なっていることを特徴とする請求項５に記載の装着片。
【請求項７】
二重以上の構造を有することを特徴とする、請求項１〜６のいずれかに記載の装着片。
【請求項８】
前記二重以上の構造が、上部が開口した袋状体であることを特徴とする、請求項７に記載の装着片。
【請求項９】
前記着用物のボタンとの係合時に、前記ボタンが前記袋状体の内側に露出しない構造を有することを特徴とする、請求項８に記載の装着片。
【請求項１０】
前記着用物のボタンとの係合時に、前記ボタンが前記装着片の表側に露出しない構造を有することを特徴とする、請求項１〜９のいずれかに記載の装着片。
【請求項１１】
前記装着片が移動可能なように前記ボタンホールが形成されていることを特徴とする、請求項１〜１０のいずれかに記載の装着片。
【請求項１２】
請求項１〜１１のいずれかに記載の装着片が備える前記ボタンホールと係合可能なボタンを有することを特徴とする、着用物。
【請求項１３】
前記装着片が異なる位置に着脱可能なボタンを有することを特徴とする、請求項１２に記載の着用物。
【請求項１４】
請求項１〜１１のいずれかに記載の装着片と、請求項１２又は請求項１３に記載の着用物と、を備えることを特徴とする着用物セット。
【請求項１５】
前記装着片が複数備えられることを特徴とする請求項１４に記載の着用物セット。
【請求項１６】
前記装着片が、前記着用物に対して重ねて取り付けられることを特徴とする請求項１５に記載の着用物セット。
【考案の詳細な説明】
【技術分野】
【０００１】
本考案は、衣服などの着用物に取り付けられる装着片、着用物および着用物セットに関する。
【背景技術】
【０００２】
シャツなどの衣服には、デザイン的な役割を付与するために、ワッペンを縫いつけるか、もしくはアイロンで固定することが行われている。また、物品を保持する機能を付与するために、ポケットが設けられている。しかしながら、通常、これらはいずれも衣服に固定される（着脱不能な）ものである。したがって、需要者は、所望のデザインおよび機能を有する衣服を前もって１つに決定しなければならなかった。
また、衣服のデザインにバリエーションを持たせることを目的として、スナップボタンを用いた衣服およびポケットが提案されている（特許文献１を参照）。
【先行技術文献】
【特許文献】
【０００３】
【特許文献１】実用新案登録第３１８４１９２号公報
【考案の概要】
【考案が解決しようとする課題】
【０００４】
衣服に対する個々の需要者の要求は、多様であり、デザインおよび機能の点において優れた、さらなるバリエーションが求められている。
【０００５】
本考案は、上記の点に鑑みて完成されたものであって、衣服等の着用物のデザインの多様性に優れる、着用物セット、ならびにこの着用物セットに用いられる装着片および着用物を提供することを目的とする。
【課題を解決するための手段】
【０００６】
（構成１）
着用物に対して着脱可能な装着片であって、
前記着用物に備えられるボタンと係合するボタンホールを備えることを特徴とする装着片。
【０００７】
（構成２）
前記着用物と異なる素材で形成されることを特徴とする、構成１に記載の装着片。
【０００８】
（構成３）
前記ボタンホールが複数備えられ、当該複数のボタンホールの内、少なくとも１つのボタンホールの向きが、他のボタンホールの向きと異なることを特徴とする、構成１又は構成２に記載の装着片。
【０００９】
（構成４）
前記ボタンホールの向きが、前記装着片の上部では横向き、前記装着片の下部では縦向きであることを特徴とする、構成３に記載の装着片。
【００１０】
（構成５）
折り目片を有し、当該折り目片に前記着用物に備えられるボタンと係合するボタンホールが備えられることを特徴とする、構成１〜４のいずれかに記載の装着片。
【００１１】
（構成６）
前記折り目片が折り返されることにより二重構造となる部分において、二重構造のそれぞれにおいて形成される前記ボタンホールであって、同一の前記ボタンに対して係合するボタンホールの向きが異なっていることを特徴とする構成５に記載の装着片。
【００１２】
（構成７）
二重以上の構造を有することを特徴とする、構成１〜６のいずれかに記載の装着片。
【００１３】
（構成８）
前記二重以上の構造が、上部が開口した袋状体であることを特徴とする、構成７に記載の装着片。
【００１４】
（構成９）
前記着用物のボタンとの係合時に、前記ボタンが前記袋状体の内側に露出しない構造を有することを特徴とする、構成８に記載の装着片。
【００１５】
（構成１０）
前記着用物のボタンとの係合時に、前記ボタンが前記装着片の表側に露出しない構造を有することを特徴とする、構成１〜９のいずれかに記載の装着片。
【００１６】
（構成１１）
前記装着片が移動可能なように前記ボタンホールが形成されていることを特徴とする、構成１〜１０のいずれかに記載の装着片。
【００１７】
（構成１２）
構成１〜１１のいずれかに記載の装着片が備える前記ボタンホールと係合可能なボタンを有することを特徴とする、着用物。
【００１８】
（構成１３）
前記装着片が異なる位置に着脱可能なボタンを有することを特徴とする、構成１２に記載の着用物。
【００１９】
（構成１４）
構成１〜１１のいずれかに記載の装着片と、構成１２又は構成１３に記載の着用物と、を備えることを特徴とする着用物セット。
【００２０】
（構成１５）
前記装着片が複数備えられることを特徴とする構成１４に記載の着用物セット。
【００２１】
（構成１６）
前記装着片が、前記着用物に対して重ねて取り付けられることを特徴とする構成１５に記載の着用物セット。
【考案の効果】
【００２２】
本考案に係る着用物セット、装着片、または着用物によれば、個々の需要者の多様な要求を満たすことができる。
【図面の簡単な説明】
【００２３】
【図１Ａ】実施形態１の着用物（Ｔシャツ）を示す図
【図１Ｂ】実施形態１の装着片を示す図
【図１Ｃ】実施形態１の着用物セットを示す図
【図１Ｄ】実施形態１の装着片の他の例を示す図
【図２Ａ】実施形態２の装着片を示す図
【図２Ｂ】実施形態２の装着片のデザインを示す図
【図２Ｃ】実施形態２の着用物セットを示す図
【図３Ａ】実施形態３の着用物を示す図
【図３Ｂ】実施形態３の装着片を示す図
【図３Ｃ】実施形態３の着用物セットを示す図
【図３Ｄ】実施形態３の装着片の他の例を示す図
【図３Ｅ】実施形態３の装着片の他の例を示す図
【図３Ｆ】実施形態３の装着片の他の例を示す図
【図３Ｇ】実施形態３の装着片の他の例を示す図
【図４Ａ】実施形態４の着用物を示す図
【図４Ｂ】実施形態４の装着片を示す図
【考案を実施するための形態】
【００２４】
以下、本考案の実施態様について、図面を参照しながら具体的に説明する。なお、以下の実施態様は、本考案を具体化する際の一形態であって、本考案をその範囲内に限定するものではない。
本考案は、衣服などの着用物に取り付けられる装着片、着用物および着用物セットに関し、本考案に係る装着片とは、下記の着用物に装着される加工された生地であって、ボタンホールを有するものである。ボタンホールは、着用物が有するボタンに対して着脱可能に係合される線状部分（線状の孔と、その周辺にほつれ防止の縫目等があるもの）を有し、この線状部分は、直線状もしくは曲線状、またはそれらを組み合わせて形成される。  また、ボタンホールは、それぞれ固有の向きを有する。その向きは、線状部分が直線状の場合にはその直線の傾きであり、曲線状の場合には曲率半径で表される弧における弦の傾きであり、直線と曲線が組み合わせられた場合には、他のボタンホールの向きを考慮した上で、装着片の移動もしくは固定の度合いに最も寄与する直線もしく弦の傾きである。
本考案における着用物とは、Ｔシャツ、ワイシャツ、セーター、ジャケット等の上衣、ズボン、スカート等の下衣などの衣服、帽子、靴などの、人もしくは愛玩動物が身に着用するもの等も含む。実施形態においては、着用物である衣服の一例として、Ｔシャツを用いて以下に詳細に説明するが、一般的に使用されるのと同様に、Ｔシャツのネック側を上部、ボタンが取り付けられている方を表側とし、これを基準として、左右とする。また、装着片の上下左右、表裏は、装着される衣服と同じである。なお、他の着用物においても、同様である。
【００２５】
〈実施形態１〉
図１Ａは、本実施形態の着用物（Ｔシャツ）を示す図であり、Ｔシャツ１００の右上部（左胸部分）に６つのボタン１〜６を有している。
本実施形態のボタン１〜６は、ボタンホールに係合される、表穴ボタンや裏穴ボタンである。
ボタン１〜６の素材としては、需要者が所望する任意の素材が用いられるが、これには、例えば、ポリエステル、ＡＢＳ樹脂、金属、ナイロン、ユリア、貝、ナット等が挙げられる。それぞれの素材が固有の品質、外観、触感、質感を有しているが、さらに色、模様、形状等を加えることで、ボタン１〜６にさらなるデザイン性を付与することもできる。また、表穴ボタンの場合には、着用物もしくは装着片に合わせた、糸の色、穴の配置、結び方を採用することにより、さらなるデザイン性を付与することができる。
【００２６】
図１Ｂは、本実施形態の装着片２００を示しており、直線状の４つのボタンホール１１〜１４を有し、Ｔシャツ１００のボタン１、３、４、６にそれぞれ係合されるように配置されている。また、装着片２００の上部のボタンホール１１、１４は横向き、下部のボタンホール１２、１３は縦向きであり、その向きが９０度異なる。
【００２７】
Ｔシャツ（着用物）１００および装着片２００は、同じ素材を用いても良いし、需要者の所望により異なる素材を用いても良い。Ｔシャツ１００と装着片２００の素材は、一般的に衣服等の着用物の生地に用いられる原材料を用いて製造される。そのような原材料としては、例えば、綿、麻等の植物繊維、絹、羊毛、カシミヤ等の動物繊維、レーヨン、キュプラ、ポリノジック等の再生繊維、アセテート、トリアセテート、プロミックス等の半合成繊維、ナイロン、ポリエステル、アクリル、ポリウレタン等の合成繊維、およびこれらの混合材料、ならびに動物の皮革等が挙げられ、それぞれの原材料が固有の品質、外観、触感、質感を有している。
また、本実施形態のＴシャツ１００および装着片２００に加工される生地は、上記の原材料から製造されるものであり、例えば、綿のみで、あるいはこれに麻、ウール、シルク等を使用して織られた生地等が挙げられる。また、原材料の種類が同じでも、織り方、染色材料および方法、または、プリントもしくは色の異なる糸による織りこみによるキャラクター、模様等の図柄によって、それぞれの生地は、固有の品質、外観、触感、質感が変わり得る。織り方が、品質等に大きく影響を与える例としては、デニム生地が挙げられる。デニム生地には、デニム、ダンガリー、オックスフォード、シャンブレー等があるが、原材料の種類が同じであっても、織り方を変更することによって、それぞれ異なる品質、外観、触感、質感を有する。
なお、本明細書において、素材が異なるという場合には、上記のように原材料の種類が異なる場合、生地の種類が異なる場合、織り方が異なる場合等のいずれをも含む。
【００２８】
図１Ｃは、Ｔシャツ１００のボタン１、３、４、６に、装着片２００のボタンホール１１〜１４を係合した着用物セット３００を示す図である。図１Ａに示されるごとく、Ｔシャツ１００は、装着片２００のボタンホール１１〜１４に対応するボタン１、３、４、６以外に、他のボタン（ボタン２、５）を有しても良く、装着片が重なるボタンの全てがボタンホールに係合されなくても良い。
また、装着片２００が、Ｔシャツ１００のボタン１〜６が配される範囲を全て覆う大きさで形成されることを要するものではなく、一部のボタンが露呈するような大きさの装着片としてもよい。図１Ｄはそのような装着片の一例を示す図である。装着片２１０は、装着片２００よりも小さく、ボタンホール２１〜２４が、それぞれＴシャツ１００のボタン２〜５に対応し、係合されるように配置されている。即ち、装着片２１０をＴシャツ１００に取り付けた際に、装着片２１０の範囲外において、Ｔシャツ１００のボタン１，６が配される構成となるものであり、さらにデザインのバリエーションを豊富化し得るものである。
【００２９】
以上のごとく、本実施形態によれば、需要者は、１つの衣服（Ｔシャツ１００）に対して、視覚的効果を有する生地素材、所望の模様もしくはキャラクター等の図柄、またはそれらを組み合わせた、異なる装着片２００を衣服等の着用物に着脱することにより、衣服のデザインのバリエーションを増やすことができる。
また、図１Ｃに示されるごとく、ボタン１、３、４、６の外観が表面に露出することにより、装着片２００のデザインだけでなく、ボタン１、３、４、６の配置もしくは素材（色や触感）等を組み合わせた、より高度なデザインを生み出すことができる。同時に、Ｔシャツ１００においても、ボタン１〜６をデザインの一部とすることができ、装着片２００を取り付けるための部材によって、装着片２００が取り付けられていない状態の衣服（Ｔシャツ１００）のデザイン性が損なわれることが抑止される。
また、衣服等の着用物の機能の点において、装着片２００が取り付けられた着用物セット３００では、下部や側面となるボタンの配置により、下部や側面も開口した状態であり、一般的なポケットとしての役割は果たさないが、例えば、バラやカーネーションのように先端（花部）が比較的大きなものを挿入することにより、茎部を貫通させて、花等の比較的長い物品を保持する機能と同時に、その物品と組み合わせて、さらに高度な視覚的効果を生ずることもできる。一方、左右の貫通部を利用して、ストラップ等の輪状構造物を掛けることもできる。
なお、ボタンの配置、数を変更することにより、着用物と装着片との間の下部や側面における隙間を点線状に閉口することにより、ポケットと同様の物品保持機能を付与することもできる。
また、需要者が所望の素材の装着片２００を選択し得ることは、特に有用である。需要者によっては、肌と直接接触する部分には使用したくないが、デザイン的には使用したい、あるいは、好きな手触りの素材を衣服の表面の所望の位置に配置しておくことで、その触感を楽しみたいという要求があり、それらを満たすことができるからである。
さらに、需要者は、品質等に優れた高級な素材の装着片２００を使用することにより、その衣服等の着用物にかかる費用を抑えつつ、優れた品質の着用物（部分的に）を使用しているという優越感を持ち得、その着用物に満足する。
このように、装着片２００とＴシャツ（着用物）１００のそれぞれの品質等を決定し得る素材を異なるものとすることにより、従来品では満たせなかった需要者の要求を満たすことができる。
また、複雑な構造を有さない１枚の生地による一重構造の装着片２００について、所望の素材を選択した後に、デザインとボタンホールを付与することのみによって、衣服のデザインおよび機能のバリエーションを増やすことができるため、製造会社は、装着片２００の製造コストを抑えることができる。
【００３０】
さらに、少なくとも１つのボタンホールの向きが異なっていると、装着片のずれもしくはよれを低減することができる。すなわち、装着片２００において、ボタンホール１１〜１４が全て縦の場合には、装着片２００は縦にずれ、もしくはよれてしまい、ボタンホール１１〜１４が全て横の場合には、装着片２００は横にずれ、もしくはよれる可能性が高くなるためである。また、ボタンホールの向きを交互に９０度ずつずらすこと等により、装着片の周囲にわたる固定度の均一性を上げることができる。特に、本実施形態の装着片２００では、上部（ボタンホール１１、１４）を横向きに、下部（ボタンホール１２、１３）を縦向きにすることにより、装着片２００のずれおよびよれを、さらに低減することができる。即ち、上部のボタンホール１１、１４が縦向きである場合、重力によって装着片２００の上側部分が下に下がってしまい、ボタンホールの中心とボタンの中心が合わない（縦方向にずれる）状態となってしまうが、上部のボタンホール１１、１４を横向きにしていることによりこれが抑止され、且つ、下部のボタンホール１２、１３縦向きにすることにより、横方向のずれも抑止されるものである。これにより、ボタンホールの中心とボタンの中心が合うように保持する効力が得られ、意匠的にも優れるものである。
【００３１】
本実施形態は、上記のように構成されているため、装着片２００とＴシャツ（着用物）１００があらかじめ組み合わせられた着用物セット３００は、ボタンの配置等の寸法や、一定のデザインバランスを有する組み合わせがあらかじめ揃えられている。よって、需要者は、手軽に装着物の付け替えを楽しむことができる。
また、需要者は、Ｔシャツ（着用物）１００を１つ持っていれば、複数の装着片２００との組み合わせにより、その１つを用いてさまざまな衣服として楽しむことができる。一方、装着片２００を１つ持っていれば、複数のＴシャツ（着用物）１００との組み合わせにより、さまざまな衣服として楽しむことができる。従って、自分好みの衣服を作り上げると同時に、衣服等にかける費用を抑えることができる。
【００３２】
〈実施形態２〉
図２Ａは、実施形態２の装着片２２０を示す図である。本実施形態の装着片２２０は、実施形態１のＴシャツ（着用物）１００に対して着脱可能なものである。
なお、実施形態１と同様の構成については同一の符号を使用し、ここでの説明を省略もしくは簡略化する。
図２Ａに示される装着片２２０は、折り目２２１より上の部分については、ボタンホール１５、１６が追加されている以外は実施形態１の装着片２００と同様の構成であるが、実施形態１の装着片２００の下端から延設されるようにして、折り目２２１で折り曲げられる折り目片２２２を備える。折り目片２２２には、Ｔシャツ（着用物）１００に備えられるボタン２〜５と係合するボタンホール３５〜３８が備えられる。
このような構成により、折り目片２２２が折り目２２１で表もしくは裏に折り返されてボタンホール３５〜３８がＴシャツ１００のボタン２〜５に係合されると、下部が閉口され、折り返された折り目片２２２が存在する部分において二重構造となる。さらに、折り目片２２２のボタンホール３５〜３８は、ボタンホール１２、１３、１５、１６に対して縦向きと横向きの組み合わせであるため、折り返しにより、十字状となって、同じボタンに係合される。
なお、折り目２２１については、所望の位置に、縫い目を付けておく、あるいは生地の織り方を変更する等して、折り目をつけやすいように、折り目構造をあらかじめ形成しておくことができる。
【００３３】
図２Ｂは、装着片２２０にデザインを付したものである。表側には、ゾウと草原、裏側にはシマウマと川のデザインが付されている。
図２Ｃは、Ｔシャツ１００に、装着片２２０を折り返して装着した着用物セット３１０を示している。
図２Ｂ及び図２Ｃから理解されるように、需要者は、折り目片２２２を折り返さない状態で、装着片２２０の表と裏を使い分けることによって、（１）ゾウと草原、（２）シマウマと川のデザインを利用でき、折り目片２２２を表裏に折り返すことにより、さらに、（３）ゾウのみ、（４）シマウマのみ、（５）ゾウと川、（６）シマウマと草原の、６通りのデザインバリエーションが楽しむことができる。このような組み合わせは、ストライプ、チェック柄等の模様にも応用できる。
すなわち、１枚生地の装着片の表裏に、所望のデザインを適切に配置して折り返すことにより、複数の装着片を使用することなく、デザインバリエーションを増やすことができる。
【００３４】
以上のごとく、本実施形態の装着片２２０（及びＴシャツ（着用物）１００）によれば、折り目２２１を境に装着片２２０の表と裏で異なるデザインを付すことにより、折り目片２２２の折り方に応じて異なる外観を呈することができるため、１枚の装着片２２０により、多様なデザインを得ることができる。
また、折り目片２２２の折り曲げによって、装着片２２０の下部を完全に閉口するこができるため、ポケットとしての物品保持機能を付与する際に有利である。ポケットとしての機能を重視する場合には、折り目片２２２をより大きく形成して二重構造となる範囲を大きくしたり、左右のボタン（及びボタンホール）の数を増やして側面における開口を小さくするとよい。
また、本実施形態の装着片２２０によれば、装着片２２０を折り目片２２２で折り返した際に、下部で重なりあうボタンホール（二重構造のそれぞれにおいて形成されるボタンホールであって、同一のボタンに対して係合するボタンホール）は、垂直に十字状に交わるため、装着片２２０を点で固定することができ、装着片２２０のずれやよれをさらに低減することができる。（ボタンホールの向きを垂直に十字状に交わるようにすることで当該効果が最大化されるが、垂直にしなくとも、ボタンホールの向きを異ならせることによって、当該効果を得ることができる。）
また、折り目２２１に折り目構造を形成しておくことにより、需要者は、簡単に折り目を付けて本考案の装着片を楽しむことができる。
【００３５】
〈実施形態３〉
図３Ａは実施形態３のＴシャツ１１０を示す図である。本実施形態のＴシャツ１１０は、装着片が異なる２か所に着脱可能なボタン４１〜４４、とボタン４５〜４８を有している。
図３Ｂは、実施形態３の装着片２３０を示す図である。
なお、実施形態１や２と同様の構成については同一の符号を使用し、ここでの説明を省略もしくは簡略化する。
本実施形態の装着片２３０は、実施形態１の装着片２００に対し、ボタンホールを有さない生地が、表側に上部以外で縫いつけられて、上部のみが開口する袋状体を形成している。
【００３６】
図３Ｃは、Ｔシャツ１１０に対して複数の装着片２３０を装着した着用物セット３２０を示す図である。
本実施形態の着用物セット３２０によれば、図３Ｃから明らかなように、複数の装着片を異なる位置に装着することができる（本実施形態の装着片２３０に限られず、実施形態１や２の装着片も利用できる）。これにより、異なるデザインの装着片の配置を変えることで、異なるデザインの衣服である印象を与えることができる。例えば、バス停が描かれた装着片とバスが描かれた装着片は、いずれか１か所に、単独で用いることができるが、組み合わせることにより、一体的なデザインを生じ得、さらにそれらの配置の左右を逆にすることで、バスが出発もしくは到着するという、異なる印象を与えるデザインを生じさせることができる。
【００３７】
また、装着片２３０は、装着片自体があらかじめ上部が開口した袋状体に形成されているため、ボタンの数を増やすことなく、着用物に係合されることのみによって、ポケット機能を発揮することができる。
このように予め袋状体として形成される装着片の別の例を、図３Ｄ〜図３Ｇに示した。
図３Ｄ〜図３Ｇに示される装着片は、着用物のボタンとの係合時に、ボタンが袋状体の内側に露出しない構造を有するものである。
図３Ｄに示される装着片２４０は、図３Ｂに示される装着片２３０のボタンホールを有する裏面とボタンホールを有さない表面との間に、もう１枚のボタンホールを有さない中面２４１が挿入され、中面２４１は全周囲において裏面と縫いつけられているが、表面とは上部以外で縫いつけられているため、３枚の生地で構成され、中面２４１と表面により上部のみが開口する袋状のポケットを形成している。
図３Ｅ〜３Ｇに示される装着片は、何れも袋状体部分にはボタンホールを設けずに、袋状体の範囲外において、ボタンホールを設けているものである。図３Ｅに示される装着片２５０は、袋状体部分の両側面に延設される延設部２５１においてボタンホールが設けられる。延設部２５１は一重構造であるため、ボタンは表側に露出する。これに対し、図３Ｆに示される装着片２６０は、装着片２５０の延設部２５１を２重構造とし、ボタンが表側に露呈しないようにしたものである。図３Ｇに示される装着片２７０は、ボタンホール付近のみを装着片２６０と同様の構成とし、それ以外の部分については袋状体としたものである。図３Ｄ〜図３Ｇに示される装着片によれば、着用物のボタンが装着片のボタンホールと係合されても、装着片の開口部により形成されるポケットの内側にボタンが露出しない。よって、需要者は、この装着片によるポケット内にボールペン等の物品を入れる時にその物品がボタンに引っ掛かったり、あるいはポケットの中身を取り出す時に、指がボタンに引っ掛かったりすることを抑止することができる。
【００３８】
〈実施形態４〉
図４Ａは実施形態４のＴシャツ１２０を示す図であり、図４Ｂは実施形態４の装着片２８０を示す図である。
図４Ａに示されるＴシャツ１２０には、一見、単なる炎のようなデザインが描かれており、デザイン的にも単独で着用できる。これに対して、図４Ｂに示される装着片２８０には、ロケットが描かれている。また、装着片２８０は、上部に横向きのボタンホール６１、６４を有し、上部から下部にかけて縦向きに長いボタンホール（６２、６３）を有している。
本実施形態は、衣服のデザインと装着片の移動を利用した例であり、装着片２８０をボタン５１〜５３、５８〜６０に係合すれば、単なる炎部分はロケットの噴射炎の印象を与え、ロケットが発射した後のデザインを表すが、ボタン５３〜５８に係合して、Ｔシャツ１２０の炎のデザインを隠すように着用すると、Ｔシャツ１２０にロケットのデザインのみを表すことができる。さらに、係合された６個のボタンのうち、上部のボタン５３、５８および下部のボタン５５、５６を外して、中間のボタン５４、５７は外さずに縦長のボタンホールに沿って装着片を上側にスライドさせた後に、再度係合することにより、ロケットが発射した直後のデザインを表すことができる。すなわち、装着片を固定することを目的とする横向きのボタンホールと主に移動を目的とした縦に長いボタンホールとを組み合わせることで、全てのボタンを取り外して付け直すことなくスライドさせることにより、異なるデザインバリエーションを生じることができる。なお、このデザインバリエーション効果は、全てのボタンを取り外して、ボタンホールの長さに制限される範囲を超えて移動させることによっても達成される。
また、本実施形態における装着片２８０において、縦向きのボタンホールを下側に貫通させることにより、下部のボタンホール６２、６３は、上下に固定する機能を失うものの、左右の固定機能を保持しながら、縦向きのボタンホールの長さに制限されることなく、移動が可能となる。
なお、本実施形態における、直線もしくは曲線で形成されるボタンホールの線状の長さおよび向きは、移動させたい範囲に従い適宜調整できる。
【００３９】
以上のごとく、各実施形態に係る装着片、着用物、着長物セットによれば、様々なバリエーションのデザインを創出することが可能である。
なお、各装着片は、１箇所に対して１つに限定されるものではなく、複数の装着片を重ねて着用物に取り付けるようにしてもよい。例えば、袋状の装着片と、当該袋状の装着片の上部においてポケットチーフ状に飛び出る装着片とを重ねて取り付けることにより、胸ポケットにポケットチーフを入れているような使い方が可能である。また、大きさや形状、及びデザインの異なる装着片を重ねて取り付けることにより、実施形態２の折り返し片を有する装着片において説明したのと同様の機能を奏することができる（より多彩な組み合わせを実現できる）。
各実施形態の装着片（生地１枚からなる一重構造の装着片、二重構造以上の装着片、折り返し構造を有する装着片、袋状体の装着片、移動可能な装着片など）を、それぞれ、もしくは任意の組み合わせで、着用物に、折り返して、重ね合わせて、または異なる位置に装着することができ、これにより多彩なデザインを得ることができるものである。
なお、上記の各実施形態において、本考案の理解を妨げない範囲で、装着片におけるボタンホールの図示を一部省略したが、四角形状の装着片の四隅等、所望の数のボタンホールを所望の位置に配置することができる。
【符号の説明】
【００４０】
１００．．．着用物
２００．．．装着片
３００．．．着用物セット
１〜６．．．ボタン
１１〜１４．．．ボタンホール
【図１Ａ】
0003200866.tif 000003
【図１Ｂ】
0003200866.tif 000004
【図１Ｃ】
0003200866.tif 000005
【図１Ｄ】
0003200866.tif 000006
【図２Ａ】
0003200866.tif 000007
【図２Ｂ】
0003200866.tif 000008
【図２Ｃ】
0003200866.tif 000009
【図３Ａ】
0003200866.tif 000010
【図３Ｂ】
0003200866.tif 000011
【図３Ｃ】
0003200866.tif 000012
【図３Ｄ】
0003200866.tif 000013
【図３Ｅ】
0003200866.tif 000014
【図３Ｆ】
0003200866.tif 000015
【図３Ｇ】
0003200866.tif 000016
【図４Ａ】
0003200866.tif 000017
【図４Ｂ】
0003200866.tif 000018
【手続補正書】
【提出日】平成27年8月31日(2015.8.31)
【手続補正１】
【補正対象書類名】実用新案登録請求の範囲
【補正対象項目名】全文
【補正方法】変更
【補正の内容】
【実用新案登録請求の範囲】
【請求項１】
着用物に対して着脱可能な装着片であって、
前記着用物に備えられるボタンと係合するボタンホールを備えることを特徴とする装着片。
【請求項２】
前記着用物と異なる素材で形成されることを特徴とする、請求項１に記載の装着片。
【請求項３】
前記ボタンホールが複数備えられ、当該複数のボタンホールの内、少なくとも１つのボタンホールの向きが、他のボタンホールの向きと異なることを特徴とする、請求項１又は請求項２に記載の装着片。
【請求項４】
前記ボタンホールの向きが、前記装着片の上部では横向き、前記装着片の下部では縦向きであることを特徴とする、請求項３に記載の装着片。
【請求項５】
折り目片を有し、当該折り目片に前記着用物に備えられるボタンと係合するボタンホールが備えられることを特徴とする、請求項１〜４のいずれかに記載の装着片。
【請求項６】
前記折り目片が折り返されることにより二重構造となる部分において、二重構造のそれぞれにおいて形成される前記ボタンホールであって、同一の前記ボタンに対して係合するボタンホールの向きが異なっていることを特徴とする請求項５に記載の装着片。
【請求項７】
前記装着片自体が二重以上の構造を有することを特徴とする、請求項１〜６のいずれかに記載の装着片。
【請求項８】
前記二重以上の構造が、上部が開口した袋状体であることを特徴とする、請求項７に記載の装着片。
【請求項９】
前記袋状体において前記ボタンホールが形成される裏面と縫いつけられる中面を備えることにより、または、前記袋状体の範囲外においてボタンホールを設けることにより、前記着用物のボタンとの係合時に、前記ボタンが前記袋状体の内側に露出しない構造を有することを特徴とする、請求項８に記載の装着片。
【請求項１０】
前記ボタンホールが形成される箇所を２重構造として、当該２重構造の裏面側に前記ボタンホールを形成することにより、前記着用物のボタンとの係合時に、前記ボタンが前記装着片の表側に露出しない構造を有することを特徴とする、請求項１〜９のいずれかに記載の装着片。
【請求項１１】
前記ボタンホールが前記着用物の複数のボタンと同時に係合可能な長さを有することにより、当該複数のボタンのうちの少なくとも１つを外した際に前記装着片が移動可能なように前記ボタンホールが形成されていることを特徴とする、請求項１〜５、７〜１０のいずれかに記載の装着片。
【請求項１２】
請求項１〜１１のいずれかに記載の装着片が備える前記ボタンホールと係合可能なボタンを有することを特徴とする、着用物。
【請求項１３】
前記装着片を着脱する一組の前記ボタンが、複数箇所に設けられることにより、前記装着片が異なる位置に着脱可能であることを特徴とする、請求項１２に記載の着用物。
【請求項１４】
請求項１〜１１のいずれかに記載の装着片と、請求項１２又は請求項１３に記載の着用物と、を備えることを特徴とする着用物セット。
【請求項１５】
前記装着片が複数備えられることを特徴とする請求項１４に記載の着用物セット。
【請求項１６】
前記装着片が、前記着用物に対して重ねて取り付けられることを特徴とする請求項１５に記載の着用物セット。
【手続補正２】
【補正対象書類名】明細書
【補正対象項目名】００１２
【補正方法】変更
【補正の内容】
【００１２】
（構成７）
前記装着片自体が二重以上の構造を有することを特徴とする、構成１〜６のいずれかに記載の装着片。
【手続補正３】
【補正対象書類名】明細書
【補正対象項目名】００１４
【補正方法】変更
【補正の内容】
【００１４】
（構成９）
前記袋状体において前記ボタンホールが形成される裏面と縫いつけられる中面を備えることにより、または、前記袋状体の範囲外においてボタンホールを設けることにより、前記着用物のボタンとの係合時に、前記ボタンが前記袋状体の内側に露出しない構造を有することを特徴とする、構成８に記載の装着片。
【手続補正４】
【補正対象書類名】明細書
【補正対象項目名】００１５
【補正方法】変更
【補正の内容】
【００１５】
（構成１０）
前記ボタンホールが形成される箇所を２重構造として、当該２重構造の裏面側に前記ボタンホールを形成することにより、前記着用物のボタンとの係合時に、前記ボタンが前記装着片の表側に露出しない構造を有することを特徴とする、構成１〜９のいずれかに記載の装着片。
【手続補正５】
【補正対象書類名】明細書
【補正対象項目名】００１６
【補正方法】変更
【補正の内容】
【００１６】
（構成１１）
前記ボタンホールが前記着用物の複数のボタンと同時に係合可能な長さを有することにより、当該複数のボタンのうちの少なくとも１つを外した際に前記装着片が移動可能なように前記ボタンホールが形成されていることを特徴とする、構成１〜５、７〜１０のいずれかに記載の装着片。
【手続補正６】
【補正対象書類名】明細書
【補正対象項目名】００１８
【補正方法】変更
【補正の内容】
【００１８】
（構成１３）
前記装着片を着脱する一組の前記ボタンが、複数箇所に設けられることにより、前記装着片が異なる位置に着脱可能であることを特徴とする、構成１２に記載の着用物。